(57)【要約】【課題】  本発明の課題は、医用画像管理システムに保存された医用画像の付帯情報の修正作業を効率的に行えるようにすることである。【解決手段】通信ネットワークＮを介してＲＩＳ／ＨＩＳ１０２と接続された医用画像管理システム１０１において、医用画像管理サーバ１は、医用画像表示端末２から医用画像の付帯情報に対する修正依頼を受信し、上記修正依頼の対象となっている情報に対応する正規情報の候補となる情報をＲＩＳ／ＨＩＳ１０２から取得する。上記修正依頼の対象となっている情報と取得した候補情報とに基づいて情報合致率を算出し、この情報合致率を基に仮修正情報を選択して記憶する。この仮修正情報を修正情報とするか否かの回答を求める通知を管理者端末３に送信し、この通知に対する回答の通知を管理者端末３から受信し、仮修正情報を修正情報に確定させて上記修正依頼の対象となっている情報をこの修正情報に置換える。【選択図】図１
2006092261.tif 000002
【特許請求の範囲】
【請求項１】
モダリティにより生成された医用画像の画像情報及び当該画像情報に付帯する付帯情報を管理する医用画像管理サーバと、当該サーバが管理している情報を取得して表示する端末とを有し、医療情報を統合的に管理する医療情報管理サーバと通信ネットワークを介して接続された医用画像管理システムにおいて、
前記医用画像管理サーバは、修正依頼受信手段により、前記端末から前記付帯情報に対しての修正依頼に関する情報を受信し、
候補情報取得手段により、前記修正依頼の対象となっている情報に対応する正規情報の候補となる情報を前記医療情報管理サーバから取得し、
情報合致率算出手段により、前記修正依頼の対象となっている情報と前記取得された候補情報とを比較し、内容が一致する項目数に基づいて情報合致率を算出し、
仮正規情報選択手段により、前記情報合致率を基に前記取得した候補情報の中から仮正規情報を選択して記憶し、
承認確認手段により、前記仮正規情報が前記修正依頼の対象となっている情報に対応する正規情報か否かの回答を求める通知を前記端末に送信し、当該通知に対する回答の通知を当該端末から受信し、
情報修正手段により、前記仮正規情報を正規情報に確定させて前記修正依頼の対象となっている情報を当該正規情報に置換える、
ことを特徴とする医用画像管理システム。
【請求項２】
請求項１に記載の医用画像管理システムにおいて、
前記修正依頼の修正対象は前記付帯情報の中の患者情報であることを特徴とする医用画像管理システム。
【請求項３】
請求項１又は２に記載の医用画像管理システムにおいて、
複数の医療情報管理サーバと通信ネットワークを介して接続されている場合、前記医用画像管理サーバは、前記修正依頼の対象となっている情報に対応する正規情報の候補となる情報を、当該複数の医療情報管理サーバから前記候補情報取得手段により取得することを特徴とする医用画像管理システム。
【請求項４】
医療情報を統合的に管理する医療情報管理サーバ装置と、取得した情報を表示する端末装置と通信ネットワークを介して接続され、モダリティにより生成された医用画像の画像情報及び当該画像情報に付帯する付帯情報を管理する医用画像管理装置において、
前記端末装置から前記付帯情報に対しての修正依頼に関する情報を受信する修正依頼受信手段と、
前記修正依頼の対象となっている情報に対応する正規情報の候補となる情報を前記医療情報管理サーバ装置から取得する候補情報取得手段と、
前記修正依頼の対象となっている情報と前記取得された候補情報とを比較し、内容が一致する項目数に基づいて情報合致率を算出する情報合致率算出手段と、
前記情報合致率を基に前記取得した候補情報の中から仮正規情報を選択して記憶する仮正規情報選択手段と、
前記仮正規情報が前記修正依頼の対象となっている情報に対応する正規情報か否かの回答を求める通知を前記端末装置に送信し、当該通知に対する回答の通知を当該端末装置から受信する承認確認手段と、
前記仮正規情報を正規情報に確定させて前記修正依頼の対象となっている情報を当該正規情報に置換える情報修正手段と、
を備えることを特徴とする医用画像管理装置。
【請求項５】
医療情報を統合的に管理する医療情報管理サーバ装置と、取得した情報を表示する端末装置と通信ネットワークを介して接続され、モダリティにより生成された医用画像の画像情報及び当該画像情報に付帯する付帯情報を管理するコンピュータに、
前記端末装置から前記付帯情報に対しての修正依頼に関する情報を受信する修正依頼受信機能と、
前記修正依頼の対象となっている情報に対応する正規情報の候補となる情報を前記医療情報管理サーバ装置から取得する候補情報取得機能と、
前記修正依頼の対象となっている情報と前記取得された候補情報とを比較し、内容が一致する項目数に基づいて情報合致率を算出する情報合致率算出機能と、
前記情報合致率を基に前記取得した候補情報の中から仮正規情報を選択して記憶する仮正規情報選択機能と、
前記仮正規情報が前記修正依頼の対象となっている情報に対応する正規情報か否かの回答を求める通知を前記端末装置に送信し、当該通知に対する回答の通知を当該端末装置から受信する承認確認機能と、
前記仮正規情報を正規情報に確定させて前記修正依頼の対象となっている情報を当該正規情報に置換える情報修正機能と、
を実現させるためのプログラム。
【発明の詳細な説明】
【技術分野】
【０００１】
本発明は、患者を撮影して生成された医用画像をその医用画像に関する付帯情報とともに管理する医用画像管理システム、医用画像管理装置及びプログラムに関する。
【背景技術】
【０００２】
近年、医療現場における情報化が推進されており、ＨＩＳ（Hospital Information System）やＲＩＳ（Radiological Information System）というコンピュータを用いたシステムが利用されている。ＨＩＳは、病院情報管理システムであり、患者の氏名、性別、血液型等の患者に関する患者情報や診療費等の会計情報等、病院内の情報を統括的に管理するシステムである。ＲＩＳは、放射線科情報管理システムであり、ＣＲ（Computed Radiography）装置等のＸ線検査の予約、検査受付等の放射線科内の情報を統括的に管理するシステムである。
【０００３】
患者を撮影した医用画像についてもデジタル化が実現されており、各種モダリティにより撮影された医用画像の画像情報はデジタル化されて、撮影された患者の患者情報や検査情報等の付帯情報とともにサーバにより一元管理する医用画像管理システムが利用されている。各種モダリティの例としては、ＣＲ装置やＣＴ（Computed Tomography）装置、ＭＲＩ（Magnetic Resonance Imaging）装置等を挙げることができる。サーバにより管理された医用画像の画像情報及びその付帯情報は、端末装置からの要求に応じて読み出され、端末装置の表示手段に表示され、参照、読影される。この医用画像管理システムは、ＬＡＮ（Local Area Network）等の通信ネットワークを介して上述のＨＩＳやＲＩＳと接続されている。
【０００４】
更に、病院内外で情報の一元管理を行うシステムも構築されてきている。例えば、患者毎の各種医療情報を一元管理する医療情報センター端末と各医院の端末とを通信ネットワークを介して接続して、患者情報を一元管理するシステムが公知である（例えば、特許文献１参照）。このように、一元管理されている情報を修正するには、各端末から入力された修正情報に基づいてセンター端末やサーバが管理している情報が修正されることが一般的である。
【特許文献１】特開２００３−２０８４７７号公報
【発明の開示】
【発明が解決しようとする課題】
【０００５】
しかしながら、従来の医用情報管理システムにおいて、患者情報がＨＩＳやＲＩＳと医用画像管理システムとで二元管理されることとなってしまう場合がある。ただし、ＨＩＳやＲＩＳは医用画像管理システムの上位の情報管理システムである。そのため、医用画像管理システムが管理している情報を修正する際、ＨＩＳやＲＩＳとの情報の整合性を考慮しなければならない。また、修正権限が付与されていないユーザが無闇に修正することを防止し、情報の正確性を確保する必要がある。
【０００６】
したがって、上述したような、従来の医用画像管理システムにおいて付帯情報の誤りを修正するには、手間のかかる作業及び手続きが必要となる。この作業及び手続きについて具体的説明する。先ず、付帯情報の誤りを発見した撮影技師、看護士及び医師から、修正権限が付与されている医師等の管理者に修正が依頼される。この修正依頼を受けた管理者により、ＨＩＳやＲＩＳにおける情報の検索が行われて、正しい情報が確認される。この確認の後、管理者により端末から手作業で修正入力が行われていた。そのため、誤った情報が修正されるまでに時間を要し、管理者の作業負担も大きいという問題があった。
【０００７】
以上説明した問題を鑑み、本発明の課題は、医用画像管理システムに保存された医用画像の付帯情報の修正作業を効率的に行えるようにすることである。
【課題を解決するための手段】
【０００８】
請求項１に記載された発明は、モダリティにより生成された医用画像の画像情報及び画像情報に付帯する付帯情報を管理する医用画像管理サーバと、この医用画像管理サーバが管理している情報を取得して表示する端末とを有し、医療情報を統合的に管理する医療情報管理サーバと通信ネットワークを介して接続された医用画像管理システムにおいて、上記医用画像管理サーバは、修正依頼受信手段により、端末から付帯情報に対しての修正依頼に関する情報を受信し、候補情報取得手段により、修正依頼の対象となっている情報に対応する正規情報の候補となる情報を上記医療情報管理サーバから取得し、情報合致率算出手段により、修正依頼の対象となっている情報と取得された候補情報とを比較し、内容が一致する項目数に基づいて情報合致率を算出し、仮正規情報選択手段により、情報合致率を基に取得した候補情報の中から仮正規情報を選択して記憶し、承認確認手段により、仮正規情報が修正依頼の対象となっている情報に対応する正規情報か否かの回答を求める通知を端末に送信し、この通知に対する回答の通知を端末から受信し、情報修正手段により、仮正規情報を正規情報に確定させて修正依頼の対象となっている情報をこの正規情報に置換える、ことを特徴とする。
【０００９】
請求項２に記載された発明は、請求項１に記載の医用画像管理システムにおいて、上記修正依頼の修正対象は付帯情報の中の患者情報であることを特徴とする。
【００１０】
請求項３に記載された発明は、請求項１又は２に記載の医用画像管理システムにおいて、複数の医療情報管理サーバと通信ネットワークを介して接続されている場合、上記医用画像管理サーバは、修正依頼の対象となっている情報に対応する正規情報の候補となる情報を、複数の医療情報管理サーバから上記候補情報取得手段により取得することを特徴とする。
【００１１】
請求項４に記載された発明は、医療情報を統合的に管理する医療情報管理サーバ装置と、取得した情報を表示する端末装置と通信ネットワークを介して接続され、モダリティにより生成された医用画像の画像情報及び画像情報に付帯する付帯情報を管理する医用画像管理装置において、上記端末装置から付帯情報に対しての修正依頼に関する情報を受信する修正依頼受信手段と、修正依頼の対象となっている情報に対応する正規情報の候補となる情報を上記医療情報管理サーバ装置から取得する候補情報取得手段と、修正依頼の対象となっている情報と取得された候補情報とを比較し、内容が一致する項目数に基づいて情報合致率を算出する情報合致率算出手段と、情報合致率を基に前記取得した候補情報の中から仮正規情報を選択して記憶する仮正規情報選択手段と、仮正規情報が修正依頼の対象となっている情報に対応する正規情報か否かの回答を求める通知を端末装置に送信し、この通知に対する回答の通知を端末装置から受信する承認確認手段と、仮正規情報を正規情報に確定させて修正依頼の対象となっている情報を正規情報に置換える情報修正手段と、を備えることを特徴とする。
【００１２】
請求項５に記載された発明は、医療情報を統合的に管理する医療情報管理サーバ装置と、取得した情報を表示する端末装置と通信ネットワークを介して接続され、モダリティにより生成された医用画像の画像情報及び画像情報に付帯する付帯情報を管理するコンピュータに、上記端末装置から付帯情報に対しての修正依頼に関する情報を受信する修正依頼受信機能と、修正依頼の対象となっている情報に対応する正規情報の候補となる情報を上記医療情報管理サーバ装置から取得する候補情報取得機能と、修正依頼の対象となっている情報と取得された候補情報とを比較し、内容が一致する項目数に基づいて情報合致率を算出する情報合致率算出機能と、情報合致率を基に取得した候補情報の中から仮正規情報を選択して記憶する仮正規情報選択機能と、仮正規情報が修正依頼の対象となっている情報に対応する正規情報か否かの回答を求める通知を端末装置に送信し、この通知に対する回答の通知を端末装置から受信する承認確認機能と、仮正規情報を正規情報に確定させて修正依頼の対象となっている情報を正規情報に置換える情報修正機能と、を実現させるためのプログラムである。
【発明の効果】
【００１３】
請求項１に記載された発明によれば、医用画像管理サーバが、端末からの修正依頼の対象となっている情報に対応する正規情報の候補を医療情報管理サーバから取得し、情報合致率の高い候補情報を上記端末に提示して正規情報か否かの承認確認を行うことにより、手作業で修正することと比較して修正業務の正確性の向上及び修正業務の効率化を図ることができる。
【００１４】
請求項２に記載された発明によれば、医療現場において正確性を必要とする患者情報の誤りを速やかに修正することにより、医療ミスの発生を防止することができる。
【００１５】
請求項３に記載された発明によれば、通信ネットワークを介して複数の医療情報管理サーバから、修正依頼の対象となっている情報に対応する正規情報の候補を取得することにより、他の病院を係りつけとしている患者が救急で搬送されてきた場合にも速やかに正確な患者情報を取得することができる。
【００１６】
請求項４に記載された発明によれば、医用画像管理サーバ装置が、端末装置からの修正依頼の対象となっている情報に対応する正規情報の候補を医療情報管理サーバ装置から取得し、情報合致率の高い候補情報を上記端末装置に提示して正規情報か否かの承認確認を行うことにより、手作業で修正することと比較して修正業務の正確性の向上及び修正業務の効率化を図ることができる。
【００１７】
請求項５に記載された発明によれば、端末装置からの修正依頼の対象となっている情報に対応する正規情報の候補を医療情報管理サーバ装置から取得し、情報合致率の高い候補情報を上記端末装置に提示して正規情報か否かの承認確認を行う機能をコンピュータに実現させるプログラムにより、手作業で修正することと比較して修正業務の正確性の向上及び修正業務の効率化を図ることができる。
【発明を実施するための最良の形態】
【００１８】
以下、図面を参照しながら本発明の実施の形態について説明する。
【００１９】
先ず、構成を説明する。図１は、本発明に係る医用画像管理システム１０１の全体構成例を示す図である。図１に示すように医用画像管理システム１０１は、医用画像管理サーバ１、医用画像表示端末２、管理者端末３及び各種モダリティ４１〜４８から成っており、これら各装置はＬＡＮ（Local Area Network）等の通信ネットワークＮを介して、送受信可能に接続されて構成されている。さらに、医用画像管理システム１０１は、通信ネットワークＮを介してＲＩＳ／ＨＩＳ１０２に接続されている。
【００２０】
各種モダリティ４１〜４８は、患者を撮影して医用画像の画像情報を生成し、その医用画像を特定するための情報を付帯情報として付帯させ、医用画像管理サーバ１に送信する装置である。各種モダリティの具体例として、フィルムデジタイザ（Ｘ線フィルム画像読取装置）４１、血管撮影装置（ＤＳＡ）４２、ＣＲ（Computed Radiography）装置４３、ＣＴスキャナ装置（コンピュータ断層撮影装置）４４、ＭＲＩ装置４５、核医学診断装置（ＲＩ）４６、超音波診断装置４７、電子内視鏡装置４８を挙げることができる。なお、モダリティの種類や数はこれに限定されるものではない。
【００２１】
上記付帯情報は、各種モダリティ４１〜４８において検査実施時に入力される情報であり、患者に関する患者情報、医用画像の撮影条件に関する検査情報等である。患者に関する患者情報は、例えば、患者ＩＤ、氏名、生年月日、年齢、性別、住所、病歴等が挙げられる。医用画像の撮影条件に関する検査情報は、例えば、検査日（撮影が行われた年月日）、検査番号、撮影部位、撮影装置（モダリティ）の種類、撮影方法、撮影依頼科名、撮影依頼読影医名、撮影技師名、画像数等が挙げられる。
【００２２】
医用画像管理サーバ１は、通信ネットワークＮを介して各種モダリティ４１〜４８が送信する情報を受信して、この情報をＤＢ（DataBase）に格納する。各種モダリティ４１〜４８から送信されてくる情報は、各モダリティが取得した医用画像データとその付帯情報である。また、医用画像表示端末２や管理者端末３から通信ネットワークＮを介して送信されてくる要求を受信すると、この要求に該当する医用画像情報とその付帯情報を上記ＤＢで検索して読み出す。この読み出した医用画像情報とその付帯情報を要求元の医用画像表示端末２又は管理者端末３に送信する。
【００２３】
ＲＩＳ／ＨＩＳ１０２は、病院情報管理システムであるＨＩＳ及び放射線部門の検査情報管理システムであるＲＩＳから成る医療機関における情報管理システムであり、患者の氏名、性別及び年齢等の患者情報や診療履歴等の情報、検査で指定された撮影部位、撮影方法等の検査情報を含む検査オーダ情報を統括的に管理する。
【００２４】
医用画像表示端末２は、読影医や看護士が使用する端末装置であり、通信ネットワークＮを介して、医用画像管理サーバ１で管理されている医用画像情報及びその付帯情報についての検索、この検索により得られた情報の表示等を行う。管理者端末３は、担当医等の患者情報を修正する権限のある管理者が使用する端末装置である。
【００２５】
以下、図２を参照しながら、医用画像管理サーバ１の構成について詳細に説明する。
【００２６】
図２は、医用画像管理サーバ１の構成を示すブロック図である。医用画像管理サーバ１は、図２に示すように制御部２１、記憶部２２、通信制御部２３が、バス２４を介して相互に接続され構成されている。
【００２７】
制御部２１は、ＣＰＵ（Central Processing Unit）、ＲＡＭ（Random Access Memory）等を備え、記憶部２２に格納されているＤＢＭＳ（DataBase Management System）プログラム等の各種プログラム（図示せず）をＲＡＭに展開してＣＰＵと協働することにより、医用画像管理サーバ１の動作を統括的に制御する。
【００２８】
また、制御部２１は、本発明に係る修正依頼受信手段、候補情報取得手段、情報合致率算出手段、仮正規情報選択手段、承認確認手段及び情報修正手段を備えている。これら手段は、記憶部２２に格納されている各手段に対応したプログラム（図示せず）をＲＡＭに展開してＣＰＵと協働することにより実現される。
【００２９】
記憶部２２は、ＨＤ（Hard Disk）あるいはＲＯＭ（Read Only Memory）等で構成され、医用画像ＤＢ２２１、付帯情報ＤＢ２２２及び上記プログラムを格納している。医用画像ＤＢ２２１は、ＤＢＭＳプログラムをＲＡＭに展開してＣＰＵと協働することにより動作するＤＢアプリケーションを介して、検索及び参照される医用画像情報群である。付帯情報ＤＢ２２２は、医用画像ＤＢ２２１を検索及び参照する際、上記ＤＢアプリケーションによって参照される医用画像ＤＢ２２１に格納されている各医用画像情報に関する情報である。
【００３０】
通信制御部２３は、ＬＡＮボードやＬＡＮカード等のネットワークカードから構成され、ネットワークＮを介して他の機器と通信する際の制御処理を行う。具体的には、医用画像管理システム１０１において、各種モダリティ４１〜４８が生成した医用画像情報及び付帯情報が、ネットワークＮを介して医用画像管理サーバ１に送信されてくる。この時、医用画像管理サーバ１は通信制御部２３を介して、これらの情報を受信する。受信した情報は、記憶部２２の医用画像ＤＢ２２１及び付帯情報２２２に格納され、制御部２１による制御の下に管理されることとなる。また、医用画像表示端末２からの患者情報の修正依頼情報の受信、管理者端末３への仮正規情報に関する承認依頼情報の送信等、医用画像表示端末２及び管理者端末３との通信も、通信制御部２３を介して行われる。
【００３１】
以下、図３を参照しながら、医用画像表示端末２の構成について詳細に説明する。
【００３２】
図３は、医用画像表示端末２の構成を示すブロック図である。この端末装置は、制御部２１、表示部２２、操作部２３、記憶部２４及び通信制御部２５が、バス２６を介して相互に接続され構成されている。
【００３３】
制御部２１は、ＣＰＵ、ＲＡＭ等を備え、記憶部２４に格納されている医用画像表示プログラム等の各種プログラム（図示せず）をＲＡＭに展開してＣＰＵと協働することにより、動作を統括的に制御する。
【００３４】
表示部２２は、ＣＲＴ（Cathode Lay Tube）、ＬＣＤ（Liquid Crystal Display）等の表示装置から構成され、制御部２１から送信されてくる制御信号に基づいて、患者情報修正依頼画面等の各種画面表示を行う。なお、表示部２２は、１つの表示装置又は複数の表示装置の何れの形態で構成されることとしてもよい。また、表示部２２に表示される各種画面に、操作部２３により操作可能な各種操作ボタン、操作メニュー、入力メニューが表示されることとしてもよい。
【００３５】
操作部２３は、キーボードやマウス等のポインティングデバイスを含んで構成され、キーボードに対するキー操作やマウス操作により入力された指示信号を制御部２１に出力する。操作部２３により、読影医又は看護士等である利用者のＩＤ番号の入力、検索項目の設定、各検索項目に応じた検索条件の入力、各種画面の表示指示等を行うことができる。
【００３６】
記憶部２４は、ＨＤあるいはＲＯＭ等で構成され、医用画像表示端末２に固定的あるいは着脱可能に備えられている。通信ネットワークＮを介して受信した医用画像情報及びその付帯情報を格納する。また、上述した制御部２１で展開され各種機能を実現するプログラム等も格納されている。
【００３７】
通信制御部２５は、ＬＡＮボードやＬＡＮカード等のネットワークカードから構成される。ネットワークＮを介して医用画像管理サーバ１等と通信する際の制御処理を行う。
【００３８】
管理者端末３は、制御部３１、表示部３２、操作部３３、記憶部３４、通信制御部３５を備えて構成されている。管理者端末３を構成する各部は、図３で説明したものとほぼ同様であるため、その説明を省略する。
【００３９】
次に、本実施の形態における動作について説明する。
【００４０】
図４は、医用画像管理システム１０１において医用画像管理サーバ１が管理している付帯情報に含まれる患者情報の誤りを修正する際に実行される修正処理のフローチャートを示している。
【００４１】
医用画像表示端末２において、医用画像管理サーバ１の医用画像ＤＢ１２１及び付帯情報ＤＢ１２２に格納されている医用画像情報及びその付帯情報が取得されて表示部２２に表示され、この表示情報中に付帯情報の誤りが読影医又は看護士によって発見された状況を想定する。この時、医用画像表示端末２の操作部２３を介して、その誤っている付帯情報に関する修正依頼が入力され（ステップＳ４０１）、この修正依頼情報は通信制御部２５を介して医用画像管理サーバ１に送信される（ステップＳ４０２）。
【００４２】
ここで、図６を参照しながら、修正依頼が入力される時に医用画像表示端末２の表示部２２に表示される患者情報修正依頼画面について説明する。
【００４３】
図６は、医用画像表示端末２において、医用画像管理サーバ１で管理されている付帯情報の内、患者情報の修正依頼をする際に表示部２２に表示される患者情報修正依頼画面５００を示している。患者情報修正依頼画面５００は、現在情報表示画面５１０と修正情報表示画面５２０とから構成される。現在情報表示画面５１０に表示されている情報は、現段階で医用画像管理サーバ１において格納及び管理されている患者情報である。修正情報表示画面５２０に表示されている情報は、現在情報表示画面５２０に表示されている情報に対して修正依頼者が修正を加えた患者情報である。
【００４４】
患者情報修正依頼画面５００において、例えば、患者情報の氏名情報が間違っていた場合、現在情報表示画面５１０の氏名欄５１１に対応するチェックボックス５１２をクリックする。チェックボックス５１２がチェック状態であることを確認後、修正情報表示画面５２０の氏名欄５２１に修正依頼者が正しいと思う氏名情報を入力する。他に修正すべき情報がないことを確認後、修正依頼ボタン５２２をクリックする。これにより、修正依頼の対象となる患者情報を特定するための患者ＩＤ、修正項目、修正内容を含む修正依頼情報が医用画像管理サーバ１に送信される。
【００４５】
再び、図４に戻って患者情報修正処理について説明を続ける。医用画像管理サーバ１において上記修正依頼情報が受信されると（ステップＳ４０３）、ＲＩＳ／ＨＩＳ１０２に対して、上記修正依頼情報の内、修正項目及び修正内容を検索条件とした修正情報候補の検索要求が送信される（ステップＳ４０４）。
【００４６】
ＲＩＳ／ＨＩＳ１０２において上記検索要求が受信されると（ステップＳ４０５）、受信された修正項目及び修正内容に基づき管理している情報群において検索が実行される（ステップＳ４０６）。この検索の結果から得られた情報は医用画像管理サーバ１に送信される（ステップＳ４０７）。なお、医用画像管理システム１０１では、ＲＩＳ／ＨＩＳ１０２が管理している情報を絶対的に正しい情報（正規情報）としている。
【００４７】
医用画像管理サーバ１において、修正情報候補に該当する情報が受信されると（ステップＳ４０８）、この情報に対して情報合致率に基づいた絞込み処理が実行される（ステップＳ７０）。
【００４８】
ここで、図７を参照しながら、修正情報候補の絞込み処理（図４のステップＳ７０）について説明する。この絞込み処理は、修正情報候補の中から修正依頼者が修正情報表示画面５２０で指定した修正対象となる患者情報と、より同一性の高い情報を選択するための処理である。
【００４９】
なお、先述したように、患者情報は、氏名、カナ、性別、血液型、生年月日等の複数の項目から構成されている。例えば、性別、血液型、生年月日等は一度登録したら情報内容を変更する必要のない固定的な項目である。この固定的な項目同士の内容が一致する項目数が多いほど、比較している情報同士が同一である可能性は高い。そのため、情報を構成する全項目数に対して内容が一致する項目数の占める割合である情報合致率を求めて、この情報合致率が高い候補情報を選択して管理者に提示することにより、迅速に管理者の承認を得ることを可能にする。
【００５０】
図７は、情報合致率に基づいた絞込み処理のフローチャートを示している。先ず、前提としてＲＩＳ／ＨＩＳ１０２から取得した修正情報候補が複数件あることとする。この複数件ある修正情報候補から１件分の情報が候補情報として選択される。この候補情報と修正依頼の対象となっている患者情報とを項目ごとに比較する。この比較により、２つの情報間で内容が一致する項目数が求められ、この項目数を全項目数で割ることにより情報合致率が算出される（ステップＳ７１）。
【００５１】
情報合致率の算出処理は、修正情報候補の全件に対して実行する必要がある。よって、処理済みとなった候補情報を除いた件数がカウントされ（ステップＳ７２）、このカウントした修正情報候補の件数が０より大きい（ステップＳ７３；Ｎｏ）間は、情報合致率の算出処理（ステップＳ７１）から繰り返される。
【００５２】
上記カウントした修正情報候補の件数が０以下になったら（ステップＳ７３；Ｙｅｓ）、修正情報候補の全件について各情報合致率が求められたことになる。この情報合致率をキーとして情報合致率の高い順に修正情報候補がソートされる（ステップＳ７４）。このソートされた修正情報候補の内、上位の所定件数分、例えば１０件分の候補情報が最終候補として選択され、制御部１１内のＲＡＭに一時的に保持される（ステップＳ７５）。
【００５３】
図４に戻り、ステップS７０の続きの処理について説明する。ステップS７０の続きの処理は図５に示しているため、図５へ移って続きの処理について説明する。
【００５４】
図５は、医用画像管理システム１０１の患者情報の修正処理において、図４に示した絞込み処理を実行した後に続く処理のフローチャートを示している。医用画像管理サーバ１において、上記絞込み処理が実行されて抽出された候補情報の中から情報合致率が一定以上の候補情報が選択されて仮修正情報（仮正規情報）とされ、この仮修正情報を含む承認依頼情報が管理者端末３に送信される（ステップＳ５０１）。
【００５５】
管理者端末３において、上記承認依頼情報が受信され（ステップＳ５０２）、承認依頼の対象となっている仮修正情報の内の上位１件が表示部３２に表示される（ステップＳ５０３）。操作部３３から管理者によるこの承認依頼に対する承認の情報が入力された場合（ステップＳ５０４；Ｙｅｓ）、この承認の情報は医用画像管理サーバ１に送信される（ステップＳ５０５）。
【００５６】
一方、操作部３３から管理者によるこの承認依頼に対する非承認の情報が入力された場合は（ステップＳ５０４；Ｎｏ）、操作部３３から管理者によるこの承認依頼に対する承認の情報が入力されるまでステップＳ５０３からステップＳ５０４の処理を繰り返すこととなる。
【００５７】
医用画像管理サーバ１において、上記仮修正情報に対する承認の情報が受信され（ステップＳ５０６）、この承認の情報により管理者の承認を受けた仮修正情報を修正情報に確定させ、修正対象となった患者情報の修正項目を修正情報で置換え、修正処理を完了させる（ステップＳ５０７）。
【００５８】
以上説明したように、医用画像管理システム１０１によれば、医用画像管理サーバ１が、医用画像表示端末２からの修正依頼の対象となっている情報に対応する修正情報の候補をＲＩＳ／ＨＩＳ１０２から取得し、情報合致率の高い候補情報を医用画像表示端末２に提示して修正情報か否かの承認確認を行うことにより、手作業で修正することと比較して修正業務の正確性の向上及び修正業務の効率化を図ることができる。さらに、医療現場において正確性を必要とする患者情報の誤りを速やかに修正することにより、医療ミスの発生を防止することにも繋がる。
【００５９】
また、本発明は、通信ネットワークを介して複数の病院間が接続された環境においても適用可能である。図８を参照しながら、この場合の実施の形態について以下に説明する。
【００６０】
図８は、病院Ａの医用画像管理システム８１０と病院Ｂの医用画像管理システム８２０がインターネット等の通信ネットワークＮ８０を介して接続され構成されている医療情報システム７００を示している。
【００６１】
病院Ａの医用画像管理システム８１０及び病院Ｂの医用画像管理システム８２０のシステム構成は、先述した医用画像管理システム１０１にほぼ同様である。システム構成において異なる点は、病院Ａの医用画像管理システム８１０を構成している通信ネットワークＮ８１及び病院Ｂの医用画像管理システム８２０を構成している通信ネットワークＮ８２が、他の通信ネットワークＮ８０を介して相互に接続されるため、ルータ８１６、８２６が備えられていることである。ルータは、通信ネットワーク上を流れる情報を他の通信ネットワークに中継する機器である。
【００６２】
また、医療情報システム８００の特徴は、一つの医用画像管理システムが接続しているＬＡＮ内のＲＩＳ／ＨＩＳが管理している情報を他の医用画像管理システムとの間で相互に参照することを可能にしていることである。具体例を以下に説明する。
【００６３】
病院Ａの医用画像管理システム８１０において、端末装置８１４から医用画像管理サーバ８１２に患者情報の修正依頼が送信される場合の例を取り上げる。先ず、医用画像管理システム１０１における場合と同様にして、病院Ａの医用画像管理システム８１０が接続されているＬＡＮ内のＲＩＳ／ＨＩＳ８１３に修正情報候補の取得要求が送信され、該当する候補情報を受信することができる。さらに、医療情報システム８００における場合には、他の医用画像管理システムである病院Ｂの医用画像管理システム８２０が接続されているＬＡＮ内のＲＩＳ／ＨＩＳ８２３へも修正情報候補の取得要求が送信され、該当する候補情報を受信することができる。なお、病院Ｂの医用画像管理システム８２０において、端末装置８２４から医用画像管理サーバ８２２に患者情報の修正依頼が送信される場合についても、ＲＩＳ／ＨＩＳ８２３及びＲＩＳ／ＨＩＳ８１３から該当する候補情報を受信することができる。
【００６４】
通信ネットワークを介して複数の病院間が接続された環境においても適用可能であることにより、他の病院内のＲＩＳ／ＨＩＳで管理されている患者情報を参照することができる。これによって、修正処理において管理者に提示する仮修正情報の正確性を向上させることができる。さらに、他の病院を係りつけとしている患者が救急で搬送されてきた場合にも速やかに正確な患者情報を取得することを可能にする。
【図面の簡単な説明】
【００６５】
【図１】本発明に係る医用画像管理システムの構成を示す図である。
【図２】医用画像管理サーバ装置の構成を示すブロック図である。
【図３】医用画像表示端末装置の構成を示すブロック図である。
【図４】患者情報修正処理における絞込み処理までのフローチャートである。
【図５】患者情報修正処理における絞込み処理後のフローチャートである。
【図６】患者情報修正依頼時の表示画面例である。
【図７】情報合致率に基づいた絞込み処理のフローチャートである。
【図８】複数の病院間で本発明に係るデータ処理システムを適用した場合の構成を示す図である。
【符号の説明】
【００６６】
１０１、８１０、８２０  医用画像管理システム
１０２、８１３、８２３  ＲＩＳ／ＨＩＳ
１、８１１、８２１  医用画像管理サーバ
２、８１２、８２２  医用画像表示端末
３  管理者端末
１１  制御部
１２  記憶部
１２１  医用画像ＤＢ
１２２  付帯情報ＤＢ
１３  通信制御部
１４  バス
５００  患者情報修正依頼画面
５１０  現在情報表示画面
５２０  修正情報表示画面
【図１】
2006092261.tif 000003
【図２】
2006092261.tif 000004
【図３】
2006092261.tif 000005
【図４】
2006092261.tif 000006
【図５】
2006092261.tif 000007
【図６】
2006092261.tif 000008
【図７】
2006092261.tif 000009
【図８】
2006092261.tif 000010